【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
ネットワークからメッセージを受信する受信装置の受信方法であって、
受信手段が、前記ネットワークから前記メッセージを受信する受信工程と、
読み込み手段が、前記受信工程において受信されたメッセージを読み込む読み込み工程と、
算出手段が、前記メッセージのヘッダに含まれている優先度に応じて前記読み込み工程における前記メッセージの読み込み速度を算出する算出工程とを有し、
前記算出工程では、第一のメッセージを受信中に該第一のメッセージよりも優先度の高い第二のメッセージが送信された場合、当該第二のメッセージを優先的に読み込むように、当該第一のメッセージの読み込み速度を前記第二のメッセージが受信される前よりも低減することを特徴とする受信装置の受信方法。
【請求項２】
前記算出工程では、第一のメッセージを受信中に該第一のメッセージよりも優先度の高い第二のメッセージが送信された場合、前記第一のメッセージより先に前記第二のメッセージの読み込みが完了するように、当該第一のメッセージの読み込み速度を低減することを特徴とする請求項１に記載の受信装置の受信方法。
【請求項３】
前記算出工程では、第一のメッセージを受信中に該第一のメッセージよりも優先度の高い第二のメッセージが送信された場合、前記第一のメッセージの未受信のデータ量と前記第二のメッセージのデータ量に基づいて、前記第一のメッセージより先に前記第二のメッセージの受信が完了するように、当該第一のメッセージの読み込み速度を低減することを特徴とする請求項１に記載の受信装置の受信方法。
【請求項４】
前記優先度は、前記メッセージを伝送するプロトコルで処理されるヘッダに含まれることを特徴とする請求項１に記載の受信装置の受信方法。
【請求項５】
ネットワークからメッセージを受信する受信装置であって、
前記ネットワークから前記メッセージを受信する受信手段と、
前記受信手段により受信されたメッセージを読み込む読み込み手段と、
前記メッセージのヘッダに設定される優先度に応じて前記読み込み手段による前記メッセージの読み込み速度を算出する算出手段とを有し、
前記算出手段は、第一のメッセージを受信中に該第一のメッセージよりも高い優先度が設定された第二のメッセージが受信された場合、当該第二のメッセージを優先的に読み込むように、当該第一のメッセージの読み込み速度を前記第二のメッセージが受信される前よりも低減することを特徴とする受信装置。
【請求項６】
前記算出手段は、第一のメッセージを受信中に該第一のメッセージよりも優先度の高い第二のメッセージが受信された場合、前記第一のメッセージより先に前記第二のメッセージの読み込みが完了するように、当該第一のメッセージの読み込み速度を低減することを特徴とする請求項５に記載の受信装置。
【請求項７】
前記算出手段は、第一のメッセージを受信中に該第一のメッセージよりも優先度の高い第二のメッセージが送信された場合、前記第一のメッセージの未受信のデータ量と前記第二のメッセージのデータ量に基づいて、前記第一のメッセージより先に前記第二のメッセージの受信が完了するように、当該第一のメッセージの読み込み速度を低減することを特徴とする請求項５に記載の受信装置。
【請求項８】
前記優先度は、前記メッセージを伝送するプロトコルで処理されるヘッダに含まれることを特徴とする請求項５に記載の受信装置。
【請求項９】
ネットワークからメッセージを受信する受信装置の受信手順をコンピュータに実行させるためのプログラムであって、
前記受信手段により受信されたメッセージを読み込む読み込み手順と、
前記メッセージのヘッダに含まれている優先度に応じて前記読み込み手順における前記メッセージの読み込み速度を算出する算出手順とをコンピュータに実行させ、
前記算出手順では、第一のメッセージを受信中に該第一のメッセージよりも優先度の高い第二のメッセージが送信された場合、当該第二のメッセージを優先的に読み込むように、当該第一のメッセージの読み込み速度を前記第二のメッセージが受信される前よりも低減することを特徴とするプログラム。
【請求項１０】
前記算出手順では、第一のメッセージを受信中に該第一のメッセージよりも優先度の高い第二のメッセージが送信された場合、前記第一のメッセージより先に前記第二のメッセージの読み込みが完了するように、当該第一のメッセージの読み込み速度を低減することを特徴とする請求項９に記載のプログラム。
【請求項１１】
前記算出手順では、第一のメッセージを受信中に該第一のメッセージよりも優先度の高い第二のメッセージが送信された場合、前記第一のメッセージの未受信のデータ量と前記第二のメッセージのデータ量に基づいて、前記第一のメッセージより先に前記第二のメッセージの受信が完了するように、当該第一のメッセージの読み込み速度を低減することを特徴とする請求項９に記載のプログラム。
【手続補正２】
【補正対象書類名】明細書
【補正対象項目名】発明の名称
【補正方法】変更
【補正の内容】
【発明の名称】受信装置の受信方法及び受信装置並びにプログラム
【手続補正３】
【補正対象書類名】明細書
【補正対象項目名】０００１
【補正方法】変更
【補正の内容】
【０００１】
本発明は、ネットワークからメッセージを受信する受信装置の受信方法及びメッセージを受信する受信装置並びにプログラムに関するものである。
【手続補正４】
【補正対象書類名】明細書
【補正対象項目名】００１２
【補正方法】変更
【補正の内容】
【００１２】
本発明は、ネットワークからメッセージを受信する受信装置の受信方法であって、
受信手段が、前記ネットワークから前記メッセージを受信する受信工程と、
読み込み手段が、前記受信工程において受信されたメッセージを読み込む読み込み工程と、
算出手段が、前記メッセージのヘッダに含まれている優先度に応じて前記読み込み工程における前記メッセージの読み込み速度を算出する算出工程とを有し、
前記算出工程では、第一のメッセージを受信中に該第一のメッセージよりも優先度の高い第二のメッセージが送信された場合、当該第二のメッセージを優先的に読み込むように、当該第一のメッセージの読み込み速度を前記第二のメッセージが受信される前よりも低減することを特徴とする。
【手続補正５】
【補正対象書類名】明細書
【補正対象項目名】００１３
【補正方法】変更
【補正の内容】
【００１３】
また、本発明は、ネットワークからメッセージを受信する受信装置であって、
前記ネットワークから前記メッセージを受信する受信手段と、
前記受信手段により受信されたメッセージを読み込む読み込み手段と、
前記メッセージのヘッダに設定される優先度に応じて前記読み込み手段による前記メッセージの読み込み速度を算出する算出手段とを有し、
前記算出手段は、第一のメッセージを受信中に該第一のメッセージよりも高い優先度が設定された第二のメッセージが受信された場合、当該第二のメッセージを優先的に読み込むように、当該第一のメッセージの読み込み速度を前記第二のメッセージが受信される前よりも低減することを特徴とする。
【手続補正６】
【補正対象書類名】明細書
【補正対象項目名】００５７
【補正方法】変更
【補正の内容】
【００５７】
10［s］＋waittime×10［回］＞40［s］
waittime＞3［s］
よって、１回のループ毎に、読み込み待機時間（waittime）として３秒より大きい値を設定すれば、第一受信メッセージの未受信部分よりも先に第二受信メッセージの読み込みを終了させることができる。